(57)【要約】【課題】ビデオファイルの一覧が表示される選択画面上で、選択したビデオファイルを確認することができ、目的とするビデオファイルを早く、確実に選択し、再生することができる記録再生装置およびビデオファイルの再生方法を提供する。【解決手段】記録しているビデオファイルのファイル名と記録した時間等の一覧を表示するナビ画面Ｎ内に、動作状態に応じてビデオデータを常時表示するスモールスクリーンＳを設けた。制御部１６は、ナビ画面Ｎでビデオファイル選択された後、操作部１９のＰＬＡＹキーが押下されると、このビデオファイルのビデオデータを全画面で再生し、一方、操作部１９のＯＫキーが押下されると、このビデオファイルのビデオデータをスモールスクリーンＳに再生する。【選択図】　　　図２
2004040704.tif 000002
【特許請求の範囲】
【請求項１】
ビデオデータをビデオファイルとして記録し、この記録されているビデオファイルのファイル名一覧が表示される選択画面より、操作キーを有する操作部を用いて上記ビデオファイルを選択して再生を行う記録再生装置において、
上記選択画面内の所定の領域に、所定のビデオデータを常時表示するとともに、上記ビデオファイルを選択し再生する時、上記ビデオファイルの選択後に上記操作部の第１の操作キーが押下された場合、当該ビデオファイルのビデオデータを全画面で再生し、一方、上記ビデオファイルの選択後に上記操作部の第２の操作キーが押下された場合、当該ビデオファイルのビデオデータを上記領域に再生し、さらに当該ビデオファイルの上記領域への再生中に上記第１の操作キーが押下された場合、当該ビデオファイルのビデオデータを全画面で再生する制御部を備えたことを特徴とする記録再生装置。
【請求項２】
ビデオデータをビデオファイルとして記録し、この記録されているビデオファイルのファイル名一覧が表示される選択画面より、操作キーを有する操作部を用いて上記ビデオファイルを選択して再生を行う記録再生装置において、
上記選択画面内の所定の領域に、所定のビデオデータを常時表示するとともに、上記ビデオファイルを選択し再生する時、上記領域に当該ビデオファイルのビデオデータを再生する制御部を備えたことを特徴とする記録再生装置。
【請求項３】
上記制御部は、上記選択再生時の操作に応じて、上記領域への再生、または全画面再生を行う請求項２に記載の記録再生装置。
【請求項４】
上記制御部は、上記選択再生時、上記ビデオファイルを選択後に上記操作部の第１の操作キーが押下された場合、当該ビデオファイルのビデオデータを全画面で再生し、一方、上記ビデオファイルを選択後に上記操作部の第２の操作キーが押下された場合、当該ビデオファイルのビデオデータを上記領域に再生する請求項３に記載の記録再生装置。
【請求項５】
ビデオデータの記録されているビデオファイルのファイル名一覧が表示される選択画面より上記ビデオファイルを選択して再生を行うビデオファイルの再生方法において、
上記選択画面内の所定の領域に、所定のビデオデータを常時表示するとともに、上記ビデオファイルを選択し再生する時、上記領域に当該ビデオファイルのビデオデータを再生することを特徴とするビデオファイルの再生方法。
【発明の詳細な説明】
【０００１】
【発明の属する技術分野】
本発明は、ビデオデータの記録および再生を行う記録再生装置、およびビデオデータの記録されたビデオファイルの再生方法に関する。
【０００２】
【従来の技術】
近年、テレビ放送等によるビデオデータを記録するために、データを高速に記録再生することが可能な記録媒体であるハードディスク装置（ＨＤＤ）を用いた記録再生装置が開発されている。この記録再生装置では、受信したビデオデータを例えば国際標準規格であるＭＰＥＧ２（Ｍｏｖｉｎｇ　Ｐｉｃｔｕｒｅ　Ｅｘｐｅｒｔｓ　Ｇｒｏｕｐ　２）等の圧縮方式によって符号化し、記録再生装置に記録する。また、このように記録再生装置に記録されたビデオデータを復号化して再生し、テレビ等のモニタに表示している。
【０００３】
従来、上記のような記録再生装置では、記録したビデオデータをビデオファイルとして管理しており、再生を行う際は、記録されているビデオファイルのファイル名や時間等が表示された一覧画面より目的とするビデオファイルを選択して再生を行っている。ところで、ビデオファイルのファイル名は、ユーザがビデオデータの記録時やその後で適宜変更しない限り、例えば「ＯＴＲ１」、「ＯＴＲ２」というようにあらかじめ設定されたファイル名に番号が付加されたものである。このため、ユーザが目的とするビデオファイルを選択して再生する際、目的とするビデオファイルを探しにくく、もし目的とは違ったビデオファイルを再生してしまうと、再度一覧画面を表示させて選択し直さなければならなかった。
【０００４】
そこで、例えば特開２００１‐１５７１４７号公報には、動画サムネイル表示機能を有するデジタル記録再生装置および動画サムネイル表示方法が開示されている。このデジタル記録再生装置では、一覧表示画面上にサムネイル表示部分とタイトル情報（ファイル名や時間等）表示部分とが表示され、タイトル情報表示部分のタイトル情報の表示上を移動するカーソルで選択されているビデオファイルが、サムネイル表示部分で早送り再生されるようになっている。
【０００５】
【発明が解決しようとする課題】
しかしながら、上記のようなデジタル記録再生装置では、カーソルを移動させると現在行われている早送り再生を中止し、カーソルの移動先のビデオファイルを早送り再生するようになっている。このため、例えば後のほうに表示されているビデオファイルを選択しようとすると、カーソルが１つ１つ移動するたびに一時的ではあるがカーソルの移動先のビデオファイルをそれぞれ早送り再生しようと動作することになる。
【０００６】
したがって、カーソルの移動とビデオファイルの早送り再生との間に時間差が発生し、実際に早送り再生されているビデオファイルがカーソルの移動先のビデオファイルと異なってしまう可能性があった。これを回避するためには、カーソルをゆっくり１つずつ移動させるか、または目的とするビデオファイルにカーソルを移動させてからしばらく待つことが考えられるが、どちらにしても時間がかかることになる。また、必要でないビデオファイルまで早送り再生することになるので、システムに負荷が掛かり、例えば同時に録画を実行中であれば記録エラーが発生する可能性もあった。
【０００７】
そこで、本発明は、上記の問題に鑑みてなされたものであり、ビデオファイルの一覧が表示される選択画面上で、選択したビデオファイルを確認することができ、目的とするビデオファイルを早く、確実に選択し、再生することができる記録再生装置およびビデオファイルの再生方法を提供することを目的とするものである。
【０００８】
【課題を解決するための手段】
上記目的を達成するため、本発明に係る記録再生装置は、ビデオデータをビデオファイルとして記録し、この記録されているビデオファイルのファイル名一覧が表示される選択画面より、操作キーを有する操作部を用いて上記ビデオファイルを選択して再生を行う記録再生装置において、上記選択画面内の所定の領域に、所定のビデオデータを常時表示するとともに、上記ビデオファイルを選択し再生する時、上記ビデオファイルの選択後に上記操作部の第１の操作キーが押下された場合、当該ビデオファイルのビデオデータを全画面で再生し、一方、上記ビデオファイルの選択後に上記操作部の第２の操作キーが押下された場合、当該ビデオファイルのビデオデータを上記領域に再生し、さらに当該ビデオファイルの上記領域への再生中に上記第１の操作キーが押下された場合、当該ビデオファイルのビデオデータを全画面で再生する制御部を備えている。
【０００９】
これによって、上記選択画面上で、選択したビデオファイルの内容を確認することができるので、選択したビデオファイルが目的とするビデオファイルでない場合でも、全画面による再生画面から再び選択画面を表示させることなく、次のビデオファイルを選択しなおすことができる。また、選択したビデオファイルのビデオデータを全画面で再生するか、選択画面上で再生するかを操作キーにより簡単選ぶことができる。
【００１０】
また、ビデオデータをビデオファイルとして記録し、この記録されているビデオファイルのファイル名一覧が表示される選択画面より、操作キーを有する操作部を用いて上記ビデオファイルを選択して再生を行う記録再生装置において、上記選択画面内の所定の領域に、所定のビデオデータを常時表示するとともに、上記ビデオファイルを選択し再生する時、上記領域に当該ビデオファイルのビデオデータを再生する制御部を備えている。これによって、上記選択画面上で、選択したビデオファイルの内容を確認することができるので、選択したビデオファイルが目的とするビデオファイルでない場合でも、全画面による再生画面から再び選択画面を表示させることなく、次のビデオファイルを選択しなおすことができる。
【００１１】
また、上記制御部は、上記選択再生時の操作に応じて、上記領域への再生、または全画面再生を行うことが好ましい。この場合、選択したビデオファイルのビデオデータを全画面で再生するか、選択画面上で再生するかを簡単選ぶことができる。
【００１２】
また、上記制御部は、上記選択再生時、上記ビデオファイルを選択後に上記操作部の第１の操作キーが押下された場合、当該ビデオファイルのビデオデータを全画面で再生し、一方、上記ビデオファイルを選択後に上記操作部の第２の操作キーが押下された場合、当該ビデオファイルのビデオデータを上記領域に再生することが好ましい。この場合、選択したビデオファイルのビデオデータを全画面で再生するか、選択画面上で再生するかを操作キーにより簡単選ぶことができる。
【００１３】
また、本発明に係るビデオファイルの再生方法は、ビデオデータの記録されているビデオファイルのファイル名一覧が表示される選択画面より上記ビデオファイルを選択して再生を行うビデオファイルの再生方法において、上記選択画面内の所定の領域に、所定のビデオデータを常時表示するとともに、上記ビデオファイルを選択し再生する時、上記領域に当該ビデオファイルのビデオデータを再生している。これによって、上記選択画面上で、選択したビデオファイルの内容を確認することができるので、選択したビデオファイルが目的とするビデオファイルでない場合でも、全画面による再生画面から再び選択画面を表示させることなく、次のビデオファイルを選択しなおすことができる。
【００１４】
【発明の実施の形態】
図１は本発明に係る記録再生装置の一実施の形態の概略構成を示すブロック図であり、以下、この記録再生装置およびこの記録再生装置におけるビデオファイルの再生方法について図面に基づいて説明する。
本実施の形態では、記録再生装置１は、主に、図１に示すようにアンテナ２に接続される受信部１１と、入力されたデータを符号化するエンコード部１２と、符号化されたデータを復号化するデコード部１３と、入力されたデータを混合するオンスクリーン制御部１４と、入力されたデータをモニタ等の表示部３に再生出力する再生出力部１５と、記録および再生等の制御を行う制御部１６と、ハードディスク装置で構成される記憶部１７と、プログラム等が格納されたメモリ部１８と、ユーザが操作を行う操作部１９とを備えている。
【００１５】
受信部１１は、アンテナ２により受信したテレビ放送による放送データ（ビデオデータ）を選局、復調処理等を行う。エンコード部１２は、入力されたビデオデータをアナログ信号からデジタル信号に変換するとともに、例えば国際標準規格であるＭＰＥＧ２等の圧縮方式によって符号化し、ビデオファイルとして記憶部１７に記録する。デコード部１３は、記憶部１７より読み出されたＭＰＥＧ２等の圧縮方式によって符号化されたビデオデータを復号化する。
【００１６】
オンスクリーン制御部１４は、デコード部１３より供給されたビデオデータと、メモリ部１８に格納された画面データとを混合し、再生出力部１５に供給する。再生出力部１５は、オンスクリーン制御部１４より供給されたビデオデータをデジタル信号からアナログ信号に変換し、さらに例えばＮＴＳＣ方式等の映像信号に変換し、表示部３に再生出力する。
操作部１９は、装置本体に設けられた操作パネルやリモコンであり、例えば上下左右の方向キー、ＰＬＡＹキー、ＳＴＯＰキー、ＯＫキー等の各種操作キーが設けられている。
【００１７】
記録再生装置１では、一時記録（タイムシフト）、再生、記録、記録および再生という４つの動作状態が存在し、基本の動作状態は一時記録状態であり、記録が行われていない限り一時記録が常に行われている。記録再生装置１の電源が入れられると、制御部１６が、受信部１１で現在選択されているチャンネル（電源が切られたときに選択されていたチャンネル）で放送されているビデオデータの一時記録の開始を指示する。そして、受信部１１で受信したビデオデータをエンコード部１２が、圧縮符号化し、ビデオファイルとして記憶部１７に記録する。
【００１８】
この一時記録では、制御部１６は例えば３０分、１時間、３時間等といった時間からあらかじめユーザが設定した所定の時間分の記憶領域を記憶部１７に確保し、この所定の時間分の記憶領域に対して繰り返しビデオデータの一時記録を行う。すなわち、所定の時間分の記憶領域が一杯になるとこの記憶領域の最初に戻って、一時記録されているビデオデータを上書きする形で一時記録を行う。よって、電源投入より上記所定の時間が経過していなければ、選択されていたチャンネルのビデオデータが電源投入時より現在時間まで一時記録されている。一方、電源投入より上記所定の時間が経過していれば、選択されていたチャンネルのビデオデータが上記所定の時間前より現在時間まで一時記録されている。
【００１９】
このように一時記録されたビデオデータは、ユーザが希望すれば一時記録されている範囲内で遡って再生することができる。このとき、再生と同時に一時記録についても継続して行っている。例えば、ユーザが番組開始より１０分経過した番組を最初から見たい場合、制御部１６は一時記録されたこの番組の最初から記憶部１７より読み出して再生し、同時に現在受信部１１で受信中のこの番組のビデオデータについても継続して一時記録を行う。
【００２０】
制御部１６は、図２に示すように記録されているビデオファイルのファイル名と記録した時間等の一覧を選択画面（以下、ナビ画面という）Ｎとして表示部４に表示する。このナビ画面Ｎは、メモリ部１８に格納された画面データ（ＯＭＰファイル）に基づいて表示され、ビデオファイルの先頭より再生を行うための「Ｗａｔｃｈ」、前回の停止位置からの再生を行うための「Ｒｅｓｕｍｅ」、ビデオファイルの削除を行う「Ｄｅｌｅｔｅ」の各ボタン表示が、ビデオファイルごとにそれぞれ表示されている。また、ナビ画面Ｎには、これらの他にも例えば現在の状態表示や画像品質等も表示されている。
【００２１】
さらに、制御部１６は、ナビ画面Ｎ内の所定の領域（以下、スモールスクリーンという）Ｓに、上記の動作状態に応じてビデオデータを常時表示する。すなわち、一時記録を行っているときはこの一時記録を行っているビデオデータを、再生を行っているときはこの再生を行っているビデオデータを、記録を行っているときはこの記録を行っているビデオデータを、記録および再生を行っているときはこの再生を行っているビデオデータを、それぞれスモールスクリーンＳに表示している。
【００２２】
次に、ユーザが記録再生装置１に記録されたビデオファイルを再生しようとした場合の動作について説明する。なお、ここでの動作状態は一時記録状態であるとする。
ユーザは、まず操作部１９を用いてナビ画面Ｎを表示部４に表示させる（図３、Ｇ１）。このとき、ナビ画面ＮのスモールスクリーンＳには上記のように一時記録を行っているビデオデータ、すなわち現在選択されているチャンネルで放送されているビデオデータが表示されている。次に、ユーザがナビ画面Ｎに表示されたビデオファイルの中から操作部１９の方向キーにより、例えばファイルＡのボタン表示「Ｗａｔｃｈ」にカーソルを位置付け、第１の操作キーである操作部１９のＰＬＡＹキーを押下すると、制御部１６はこのファイルＡのビデオデータを全画面で再生する（図３、Ｇ５）。
【００２３】
一方、ファイルＡのボタン表示「Ｗａｔｃｈ」にカーソルを位置付け、第２の操作キーである操作部１９のＯＫキーを押下すると、制御部１６は現在スモールスクリーンＳに表示しているビデオデータの表示を停止し、ファイルＡのビデオデータをスモールスクリーンＳに再生する（図３、Ｇ２）。ここで、ユーザはスモールスクリーンＳに再生されたビデオデータを確認し、見たいビデオファイルであればＰＬＡＹキーを押下する。このＰＬＡＹキーが押下されると、制御部１６はこのファイルＡのビデオデータを全画面で再生する（図３、Ｇ５）。
【００２４】
ユーザはスモールスクリーンＳに再生されたビデオデータが見たいビデオファイルでなければ、例えばファイルＢのボタン表示「Ｗａｔｃｈ」にカーソルを位置付け（図３、Ｇ３）、ＯＫキーを押下すると、制御部１６は現在スモールスクリーンＳに表示しているファイルＡのビデオデータの表示を停止し、ファイルＢのビデオデータをスモールスクリーンＳに再生する（図３、Ｇ４）。ここで、ユーザはスモールスクリーンＳに再生されたビデオデータを確認し、見たいビデオファイルであればＰＬＡＹキーを押下する。このＰＬＡＹキーが押下されると、制御部１６はこのファイルＢのビデオデータを全画面で再生する（図３、Ｇ６）。
【００２５】
このように、ビデオファイル選択後の操作キーにより、全画面で再生するか、またはスモールスクリーンＳで再生するかを選択できるので、ユーザはビデオファイルの内容がはっきりわかっている場合は全画面で、ビデオファイルの内容がはっきりわからない場合はスモールスクリーンＳで、というように状況に応じて再生を行うことができる。また、スモールスクリーンＳで再生を行った場合は、選択したビデオファイルが目的とするビデオファイルでなくても、すぐにナビ画面Ｎ上で次のビデオファイルを選択しなおすことができる。さらに、スモールスクリーンＳでの再生も、ビデオファイル選択後に操作キーを押下することにより実行しているので、例えばカーソルの移動に伴って自動的に実行する場合のようにカーソルの移動先のビデオファイルとスモールスクリーンＳで再生されているビデオファイルが異なってしまう可能性もない。
【００２６】
なお、本実施の形態では、ビデオファイルのビデオデータを全画面で再生するか、またはスモールスクリーンＳで再生するかの選択を、ボタン表示「Ｗａｔｃｈ」カーソルを位置付けた後に、ＰＬＡＹキーまたはＯＫキーを押下することによって行っているが、これに限られるものではない。例えば、ナビ画面Ｎに「Ｗａｔｃｈ」、「Ｒｅｓｕｍｅ」、「Ｄｅｌｅｔｅ」の各ボタン表示に加えて、スモールスクリーンＳで再生を行うボタン表示「Ｓｍａｌｌ」を表示させ、ボタン表示「Ｗａｔｃｈ」を全画面で再生を行うと設定しても構わない。
【００２７】
【発明の効果】
以上説明したように、本発明に係る記録再生装置では、上記選択画面上で、選択したビデオファイルの内容を確認することができるので、選択したビデオファイルが目的とするビデオファイルでない場合でも、全画面による再生画面から再び選択画面を表示させることなく、次のビデオファイルを選択しなおすことができる。また、選択したビデオファイルのビデオデータを全画面で再生するか、選択画面上で再生するかを操作キーにより簡単選ぶことができる。よって、操作性を向上させることができる。
【００２８】
また、本発明に係る記録再生装置が、ビデオデータをビデオファイルとして記録し、この記録されているビデオファイルのファイル名一覧が表示される選択画面より、操作キーを有する操作部を用いて上記ビデオファイルを選択して再生を行う記録再生装置において、上記選択画面内の所定の領域に、所定のビデオデータを常時表示するとともに、上記ビデオファイルを選択し再生する時、上記領域に当該ビデオファイルのビデオデータを再生する制御部を備えている場合、上記選択画面上で、選択したビデオファイルの内容を確認することができるので、選択したビデオファイルが目的とするビデオファイルでない場合でも、全画面による再生画面から再び選択画面を表示させることなく、次のビデオファイルを選択しなおすことができる。
【００２９】
また、上記制御部が、上記選択再生時の操作に応じて、上記領域への再生、または全画面再生を行う構成の場合、選択したビデオファイルのビデオデータを全画面で再生するか、選択画面上で再生するかを簡単選ぶことができる。
【００３０】
さらに、上記制御部が、上記選択再生時、上記ビデオファイルを選択後に操作部の第１の操作キーが押下された場合、当該ビデオファイルのビデオデータを全画面で再生し、一方、上記ビデオファイルを選択後に操作部の第２の操作キーが押下された場合、当該ビデオファイルのビデオデータを上記領域に再生する構成の場合、選択したビデオファイルのビデオデータを全画面で再生するか、選択画面上で再生するかを操作キーにより簡単選ぶことができる。
【００３１】
また、本発明に係るビデオファイルの再生方法では、上記選択画面上で、選択したビデオファイルの内容を確認することができるので、選択したビデオファイルが目的とするビデオファイルでない場合でも、全画面による再生画面から再び選択画面を表示させることなく、次のビデオファイルを選択しなおすことができる。
【図面の簡単な説明】
【図１】本発明に係る記録再生装置の一実施の形態の概略構成を示すブロック図である。
【図２】上記記録再生装置のナビ画面Ｎを示す説明図である。
【図３】上記記録再生装置でビデオファイルを再生する場合の選択動作を示す説明図である。
【符号の説明】
１　　　記録再生装置
２　　　アンテナ
３　　　表示部
１１　　受信部
１２　　エンコード部
１３　　デコード部
１４　　オンスクリーン制御部
１５　　再生出力部
１６　　制御部
１７　　記憶部
１８　　メモリ部
１９　　操作部
Ｎ　　　選択画面（ナビ画面）
Ｓ　　　選択画面内の所定の領域（スモールスクリーン）
【図１】
2004040704.tif 000003
【図２】
2004040704.tif 000004
【図３】
2004040704.tif 000005